(57)【要約】　　　（修正有）【課題】　蓋体が不意に開放してしまうことを確実に防止できる水筒を提供すること。【解決手段】　容体１若しくは蓋体３に、解除操作部６を隠蔽し得る隠蔽体７を設けると共に、この隠蔽体７は前記解除操作部６に対して起伏回動自在に設け、この隠蔽体７を解除操作部６に伏すことによって解除操作部６を隠蔽して解除操作を阻止し、この隠蔽体７を起こすことによって露出する解除操作部６を解除操作し得るように構成する。【選択図】　　　図５
0003099814.tif 000002
【実用新案登録請求の範囲】
【請求項１】
　容体の上部に筒状の口部を設け、この口部を閉塞する蓋体を容体の上部に起伏開閉自在に設け、この蓋体を開放するように起動付勢する付勢手段を備え、この蓋体に係止して蓋体を閉塞保持する係止部を前記容体に設け、この係止部を蓋体から係止解除する解除操作部を容体に設けて、この解除操作部の解除操作により蓋体が自動起動して前記口部が開放するように構成した水筒において、前記容体若しくは前記蓋体に、前記解除操作部を隠蔽し得る隠蔽体を設けると共に、この隠蔽体は前記解除操作部に対して起伏回動自在に設け、この隠蔽体を解除操作部に伏すことによって解除操作部を隠蔽して解除操作を阻止し、この隠蔽体を起こすことによって露出する解除操作部を解除操作し得るように構成したことを特徴とする水筒。
【請求項２】
　前記隠蔽体は、前記解除操作部の近傍に起伏回動自在に枢着したことを特徴とする請求項１記載の水筒。
【請求項３】
　前記解除操作部は、押動することで解除操作し得るように構成し、この解除操作部に前記隠蔽体を伏すことで解除操作部を隠蔽して押動作動を阻止し得るように構成したことを特徴とする請求項１，２のいずれか１項に記載の水筒。
【請求項４】
　容体の上部に筒状の口部を設け、この口部を閉塞する蓋体を容体の上部に起伏開閉自在に設け、この蓋体を開放するように起動付勢する付勢手段を備え、この蓋体に係止して蓋体を閉塞保持する係止部を前記容体に設け、この係止部を蓋体から係止解除する解除操作部を容体に設けて、この解除操作部の解除操作により蓋体が自動起動して前記口部が開放するように構成した水筒において、前記容体若しくは前記蓋体に、前記解除操作部を隠蔽し得る隠蔽体を設けると共に、この隠蔽体は前記解除操作部に対して起伏回動自在に設け、この隠蔽体を解除操作部に伏すことによって解除操作部を隠蔽して解除操作を阻止し、この隠蔽体を起こすことによって露出する解除操作部を解除操作し得るように構成し、この隠蔽体は、前記解除操作部の近傍に起伏回動自在に枢着し、この解除操作部は、押動することで解除操作し得るように構成し、この解除操作部に前記隠蔽体を伏すことで解除操作部を隠蔽して押動作動を阻止し得るように構成したことを特徴とする水筒。
【考案の詳細な説明】
【技術分野】
【０００１】
　本考案は、水筒に関する。
【背景技術】
【０００２】
　従来から、容体の上部に筒状の口部を突設し、この口部を閉塞する蓋体を容体の上部に起伏開閉自在に設け、この蓋体を開放するように起動付勢する付勢手段を備え、この蓋体に係止して蓋体を閉塞保持する係止部を前記容体に設け、この係止部を蓋体から係止解除する解除操作部を容体に設けて、この解除操作部の解除操作により蓋体が自動起動して前記口部が開放する水筒が実施されている。
【考案の開示】
【考案が解決しようとする課題】
【０００３】
　この従来の水筒には、解除操作部を解除操作できないようにする機能がなく、解除操作部に何かが触れることで蓋体が不意に開放してしまう恐れがある。
　本考案は、このような問題点を見い出し、これを解決することのできる水筒を提案するものである。
【課題を解決するための手段】
【０００４】
　添付図面を参照して本考案の要旨を説明する。
　容体１の上部に筒状の口部２を設け、この口部２を閉塞する蓋体３を容体１の上部に起伏開閉自在に設け、この蓋体３を開放するように起動付勢する付勢手段４を備え、この蓋体３に係止して蓋体３を閉塞保持する係止部５を前記容体１に設け、この係止部５を蓋体３から係止解除する解除操作部６を容体１に設けて、この解除操作部６の解除操作により蓋体３が自動起動して前記口部２が開放するように構成した水筒において、前記容体１若しくは前記蓋体３に、前記解除操作部６を隠蔽し得る隠蔽体７を設けると共に、この隠蔽体７は前記解除操作部６に対して起伏回動自在に設け、この隠蔽体７を解除操作部６に伏すことによって解除操作部６を隠蔽して解除操作を阻止し、この隠蔽体７を起こすことによって露出する解除操作部６を解除操作し得るように構成したことを特徴とする水筒に係るものである。
【０００５】
　また、前記隠蔽体７は、前記解除操作部６の近傍に起伏回動自在に枢着したことを特徴とする請求項１記載の水筒に係るものである。
　また、前記解除操作部６は、押動することで解除操作し得るように構成し、この解除操作部６に前記隠蔽体７を伏すことで解除操作部６を隠蔽して押動作動を阻止し得るように構成したことを特徴とする請求項１，２のいずれか１項に記載の水筒に係るものである。
【０００６】
　また、容体１の上部に筒状の口部２を設け、この口部２を閉塞する蓋体３を容体１の上部に起伏開閉自在に設け、この蓋体３を開放するように起動付勢する付勢手段４を備え、この蓋体３に係止して蓋体３を閉塞保持する係止部５を前記容体１に設け、この係止部５を蓋体３から係止解除する解除操作部６を容体１に設けて、この解除操作部６の解除操作により蓋体３が自動起動して前記口部２が開放するように構成した水筒において、前記容体１若しくは前記蓋体３に、前記解除操作部６を隠蔽し得る隠蔽体７を設けると共に、この隠蔽体７は前記解除操作部６に対して起伏回動自在に設け、この隠蔽体７を解除操作部６に伏すことによって解除操作部６を隠蔽して解除操作を阻止し、この隠蔽体７を起こすことによって露出する解除操作部６を解除操作し得るように構成し、この隠蔽体７は、前記解除操作部６の近傍に起伏回動自在に枢着し、この解除操作部６は、押動することで解除操作し得るように構成し、この解除操作部６に前記隠蔽体７を伏すことで解除操作部６を隠蔽して押動作動を阻止し得るように構成したことを特徴とする水筒に係るものである。
【考案の効果】
【０００７】
　本考案は上述のように構成したから、隠蔽体で解除操作部を隠蔽することで、確実に蓋体の誤作動（開放作動）を防止することができるし、この隠蔽体による蓋体の開放阻止状態と開放可能状態との切替えも、単に隠蔽体を解除操作部に対して伏したり起こしたりするだけの非常に簡単な操作で行うことができるために操作性に秀れ、しかも、本考案は、従来構造に比べて、単に解除操作部に対して起伏回動可能な隠蔽体を追加するだけで構成できるため、さほど構造が複雑化することもなく、簡易に設計実現可能であるなど、極めて実用性に秀れた水筒となる。
【０００８】
　また、請求項２記載の考案においては、隠蔽体で解除操作部を隠蔽する構成を簡易に設計実現可能となり、しかも、解除操作部の近傍に隠蔽体があるために、蓋体の開放に要する隠蔽体を起こす操作と解除操作部の解除操作とを一連の動作のうちに行うことが可能となる一層操作性に秀れた水筒となる。
【０００９】
　また、請求項３記載の考案においては、隠蔽体を起こして解除操作部を押動するだけの非常に簡単な操作で蓋体を開放することができる一層実用性に秀れた水筒となる。
【考案を実施するための最良の形態】
【００１０】
　好適と考える本考案の最良の形態（考案をどのように実施するのが最良か）を、図面に基づいて本考案の作用効果を示して簡単に説明する。
【００１１】
　蓋体３で口部２を閉塞し、この蓋体３に係止部５を係止することで閉塞状態を維持できる。
　この際、更に隠蔽体７を解除操作部６に伏すと、この隠蔽体７により解除操作部６が隠蔽されて解除操作部６の解除操作が阻止されることになり、隠蔽体７を起こして解除操作部６を露出させない限り、解除操作部６に何かが触れたりして勝手に蓋体３が開放することがない。
【００１２】
　また、解除操作部６に伏している隠蔽体７を起こせば、解除操作部６が露出し、この露出した解除操作部６を解除操作することができる。そして、この解除操作部６を解除操作すると、係止部５の蓋体３に対する係止状態が解除されて付勢手段４により蓋体３が自動起動開放することになり、開放する口部２から容体１内の飲料を飲むことができる。
【００１３】
　従って、隠蔽体７で解除操作部６を隠蔽することで、確実に蓋体３の誤作動（開放作動）を防止することができるし、この隠蔽体７による蓋体３の開放阻止状態と開放可能状態との切替えも、単に隠蔽体７を解除操作部６に対して伏したり起こしたりするだけの非常に簡単な操作で行うことができるために操作性に秀れる。
【００１４】
　また、従来構造に比べて、単に解除操作部６に対して起伏回動可能な隠蔽体７を追加するだけで構成できるため、さほど構造が複雑化することもなく、簡易に設計実現可能である。
【実施例】
【００１５】
　本考案の具体的な実施例について図面に基づいて説明する。
　本実施例の容体１は、図１に示すように上部開口形の細長い円筒容体を採用している。
　また、この容体１は、上部に被嵌筒部８を被嵌し、この被嵌筒部８の上面部には細筒状の口部２が立設状態に突設されている。
【００１６】
　また、この被嵌筒部８は、容体１の上部に着脱自在に螺着した構成とし、この被嵌筒部８を容体１から取り外して容体１内に飲料を入れたり、容体１内の洗浄を行えるようにしている。
【００１７】
　また、本実施例では、この被嵌筒部８は樹脂製として、口部２及び後述する突出部８Ａを一体成形している。
　この容体１の上部に、口部２を閉塞する蓋体３を起伏開閉自在に設けている。
　蓋体３は、口部２を上方から被嵌する下部開口形の短円筒体とし、図２に示すようにこの蓋体３の下部周縁を被嵌筒部８の上部に枢着した構成としている。
【００１８】
　また、図３に示すように、この蓋体３上部の下面側（内側）には、ゴムなどの弾性のある素材で構成した栓体11を付設し、この栓体11が蓋体３閉塞状態で前記口部２に上方から当接し、口部２を密閉漏止状態に保持する構成としている。
【００１９】
　また、この栓体11は、蓋体３閉塞時に口部２に弾圧（圧縮）変形しながら当接するように構成し、これにより口部２を確固な密閉状態に保持すると共に、蓋体３の閉塞状態を解除すると、変形した栓体11の復帰力により蓋体３が口部２より反発移動して、蓋体３が上方へ自動起動する構成としている。即ち、この栓体11は、蓋体３を自動開放するように起動付勢する付勢手段４としての機能も兼ね備える構成としている。
　また、この蓋体３は樹脂製とし、後述する係合部13を備えた突設部３Ａを一体成形した構成としている。
【００２０】
　また、本実施例では、この蓋体３に係止して蓋体３を閉塞保持する係止部５を容体１に設けている。
　具体的には、係止部５は、前記蓋体３の枢着部９と対向する位置に設けている。
　更に詳しくは、蓋体３の枢着部９と対向する被嵌筒部８の外周面部に略縦長方形状に膨出する突出部８Ａを設け、この突出部８Ａの内部は方形状の凹所12に形成し、この凹所12内にこの凹所12の縦幅よりも縦長な略長方形状の可動体15の下側を配した上で、この可動体15の中程を凹所12に枢着している。
【００２１】
　また、この可動体15は、その外側面が突出部８Ａの外側縁部と略面一状態となるか若しくはやや内方へ位置するようにして凹所12に配設している。
【００２２】
　本実施例では、この凹所12に配した可動体15の軸部10より下側部分を解除操作部６とし、この解除操作部６を被嵌筒部８の内方へ向けて押動すると、中程の軸部10を支点にして凹所12より被嵌筒部８の上方に突出している可動体15の上側部分が被嵌筒部８の外側へ回動する構成としている。
【００２３】
　また、図３に示すように、この可動体15の上端部内側面には係止爪を突設して、この係止爪を前記係止部５としている。
　また、突出部８Ａと位置を対応させて蓋体３の外周面の下部に突設部３Ａを設け、この突設部３Ａの内部を凹設すると共にこの凹設部に係止部５が係合係止する係合部13としての係合爪を形成している。
【００２４】
　従って、蓋体３を閉塞して係止部５を係合部13に係止すると、この蓋体３の閉塞状態が保持されることになり（図３参照）、この係止部５による閉塞保持状態から解除操作部６を被嵌筒部８の内方へ押動すると、可動体15の軸部10を支点に係止部５が外側へ回動して係止部５が係合部13から係脱し、蓋体３が前記付勢手段４（栓体11の復帰力）により自動起動開放することになる構成としている（図５参照）。
【００２５】
　また、本実施例では、解除操作部６の内側面と前記凹所12との間に抗縮弾性を有する弾性体14（コイルバネ）を架設配設し、この弾性体14によって解除操作部６には押動に抗する付勢力が常に作用するように構成し、これにより係止部５が係合部13に係止した状態が簡単に係脱することなく、且つ開放した蓋体３を閉塞する際に係止部５が係合部13に自動係止する構成としている。
　また、被嵌筒部８の上部、即ち、容体１の上部に設けられるこの解除操作部６は、容体１を携帯した手の指（例えば親指）で操作し易い位置に設けている。
【００２６】
　本実施例では、容体１に、前記解除操作部６を隠蔽し得る隠蔽体７を設けると共に、この隠蔽体７は前記解除操作部６に対して起伏回動自在に設け、この隠蔽体７を解除操作部６に伏すことによって解除操作部６を隠蔽して解除操作を阻止し、この隠蔽体７を起こすことによって露出する解除操作部６を解除操作し得るように構成している。
【００２７】
　また、この隠蔽体７は、前記解除操作部６の近傍に起伏回動自在に枢着して、蓋体３の開放に要する隠蔽体７を起こす操作と解除操作部６の解除操作とを一連の動作のうちに行うことが可能となる構成としている。
　具体的には、隠蔽体７は、前記被嵌筒部８の突出部８Ａに対して外側から被嵌し得る断面コ字状の樹脂製板材とし、更に遊離両端部には、図１において上方へ突出する取付腕部７Ａを一体成形している。
【００２８】
　この隠蔽体７の容体１への取付構造は、両側の取付腕部７Ａの先端部を、容体１上部に装着された前記被嵌筒部８の前記突出部８Ａに枢着している。
　更に詳しくは、突出部８Ａの上部左右部より外側へ延長突出させた前記軸部10の両端部に夫々枢着することで、図４に示すように隠蔽体７が解除操作部６に対し略９０度の範囲で起伏回動可能となる構成としている。
【００２９】
　また、この隠蔽体７は、解除操作部６に伏した状態では突出部８Ａに当接して隠蔽体７を容体１内方へ押圧しても解除操作部６が押動されることのない構成としている（図３参照）。
　尚、本考案は、実施例に限られるものではなく、各構成要件の具体的構成は適宜設計し得るものである。
【図面の簡単な説明】
【００３０】
【図１】本実施例を示す斜視図である。
【図２】本実施例の隠蔽体で解除操作部を隠蔽した状態（解除阻止状態）を示す部分側面図である。
【図３】本実施例の隠蔽体で解除操作部を隠蔽した状態（解除阻止状態）を示す部分断面図である。
【図４】本実施例の隠蔽体を起こして解除操作部を解除可能とした状態を示す部分側面図である。
【図５】本実施例の解除操作部を解除操作して蓋体を開放させた状態を示す部分断面図である。
【符号の説明】
【００３１】
　１　容体
　２　口部
　３　蓋体
　４　付勢手段
　５　係止部
　６　解除操作部
　７　隠蔽体
【図１】
0003099814.tif 000003
【図２】
0003099814.tif 000004
【図３】
0003099814.tif 000005
【図４】
0003099814.tif 000006
【図５】
0003099814.tif 000007